(57)【要約】【課題】荷崩れ防止として包囲されるラップによる圧縮力と輸送中のコンテナ内の湿度変化によって発生する梱包箱の側面稜部の縦しわを防止すること。【解決手段】前面に開口を有する本体２と、開口を開閉する開閉扉３とを備えた高周波加熱調理器１において、高周波加熱調理器１が梱包される梱包箱４と、梱包箱４の底部に載置される下緩衝材６と、高周波加熱調理器１の上部に載置される上緩衝材５を設け、下緩衝材６と上緩衝材５は高周波加熱調理器１の側面稜部を包装し、高周波加熱調理器１の側面稜部で合わせられるようにすることで、梱包箱４の側面稜部と高周波加熱調理器１の側面稜部の間の空隙を無くすことができ、荷崩れ防止として包囲されるラップによる圧縮力と輸送中のコンテナ内の湿度変化によって発生する梱包箱４の側面稜部の縦しわを防止する。【選択図】図２
2014234178.tif 000002
【特許請求の範囲】
【請求項１】
前面に開口を有する本体と、前記開口を開閉する開閉扉とを備えた高周波加熱調理器において、前記高周波加熱調理器が梱包される梱包箱と、前記梱包箱の底部に載置される下緩衝材と、前記高周波加熱調理器の上部に載置される上緩衝材を設け、前記下緩衝材と前記上緩衝材は前記高周波加熱調理器の側面稜部を包装し、前記高周波加熱調理器の側面稜部で合わせられることを特徴とする高周波加熱調理器の梱包構造。
【請求項２】
前記上緩衝材と、前記下緩衝材は、それぞれ分割されたことを特徴とする請求項１記載の高周波加熱調理器の梱包構造。
【発明の詳細な説明】
【技術分野】
【０００１】
本発明は、電子レンジ等の高周波加熱調理器の梱包構造に関する。
【背景技術】
【０００２】
従来、この種の電子レンジ等の高周波加熱調理器の梱包構造は図４に示すような構造のものが知られている。２１は製品である高周波加熱調理器であり、ダンボール製の下箱２２に発泡スチロール成形品の緩衝材２３を載置した後、製品２１を収納し、ダンボール製の上箱２４を被せ、発泡スチロール成形品の緩衝材２３を製品２１に載置することにより製品２１の上右側面部、上左側面部、下右側面部、下左側面部を固定し、製品２１がダンボール製の箱の内部で動かないようにし、落下や振動による外的障害から内容品である製品２１を保護して物流に供している（例えば、特許文献１参照）。
【０００３】
また、図５に示すような梱包構造のものが知られている。製品３１の両側に枠状の発泡スチロール等の緩衝材３３が装着され、この緩衝材３３と製品３１が一体とされた状態において製品３１はダンボール製の下箱３２上に載置され、その上部にダンボール製の上箱３４が被せられるようになっている（例えば、特許文献２参照）。
【先行技術文献】
【特許文献】
【０００４】
【特許文献１】特開２００５−２３９２２５号公報
【特許文献２】特開平４−３２７１５７号公報
【発明の概要】
【発明が解決しようとする課題】
【０００５】
しかしながら、前記第１の従来の梱包構造では、製品を梱包する上箱（本発明の梱包箱に相当）の側面稜部と製品の側面稜部の間に空隙が設けられているため、コンテナ輸送時に荷崩れ防止処理として包囲されるラップによる圧縮力と輸送中のコンテナ内の湿度変化によって、上箱の側面稜部に縦しわが発生してしまうという課題を有していた。
【０００６】
また、前記第２の従来の梱包構造では、上箱の側面稜部と製品の側面稜部の間に空隙が無いため、縦しわが発生しにくい構造となっているが、製品の両側に枠状の緩衝材が装着されているため、下箱から製品を取り出す場合や下箱に載置する場合に、緩衝材を製品に装着した状態で作業する必要があり、作業者の負担になるという課題を有していた。
【０００７】
本発明は、前記従来の課題を解決するもので、荷崩れ防止として包囲されるラップによる圧縮力と輸送中のコンテナ内の湿度変化によって発生する上箱の側面稜部の縦しわを防止することを目的とする。
【課題を解決するための手段】
【０００８】
前記従来の課題を解決するために、本発明の高周波加熱調理器の梱包構造は、前面に開口を有する本体と、前記開口を開閉する開閉扉とを備えた高周波加熱調理器において、前記高周波加熱調理器が梱包される梱包箱と、前記梱包箱の底部に載置される下緩衝材と、前記高周波加熱調理器の上部に載置される上緩衝材を設け、前記下緩衝材と前記上緩衝材は前記高周波加熱調理器の側面稜部を包装し、前記高周波加熱調理器の側面稜部で合わせられるようにしたものである。
【０００９】
これによって、梱包箱の側面稜部と高周波加熱調理器の側面稜部の間の空隙を無くすこ
とができ、荷崩れ防止として包囲されるラップによる圧縮力と輸送中のコンテナ内の湿度変化によって発生する梱包箱の側面稜部の縦しわを防止することができる。
【発明の効果】
【００１０】
本発明の電子レンジ等の高周波加熱調理器の梱包構造によれば、荷崩れ防止として包囲されるラップによる圧縮力と輸送中のコンテナ内の湿度変化によって発生する梱包箱の側面稜部の縦しわを防止することができる。それにより、縦しわの発生による梱包箱不良を低減する事ができる。
【図面の簡単な説明】
【００１１】
【図１】本発明の実施の形態１における高周波加熱調理器の梱包構造の外観斜視図
【図２】同実施の形態における梱包構造の分解斜視図
【図３】同実施の形態における輸送時の載置状態を示す外観斜視図
【図４】従来例の梱包構造を示す外観斜視図
【図５】同じく別の梱包構造を示す外観斜視図
【発明を実施するための形態】
【００１２】
第１の発明は、前面に開口を有する本体と、前記開口を開閉する開閉扉とを備えた高周波加熱調理器において、前記高周波加熱調理器が梱包される梱包箱と、前記梱包箱の底部に載置される下緩衝材と、前記高周波加熱調理器の上部に載置される上緩衝材を設け、前記下緩衝材と前記上緩衝材は前記高周波加熱調理器の側面稜部を包装し、前記高周波加熱調理器の側面稜部で合わせられるようにすることで、梱包箱の側面稜部と高周波加熱調理器の側面稜部の間の空隙を無くすことができ、荷崩れ防止として包囲されるラップによる圧縮力と輸送中のコンテナ内の湿度変化によって発生する梱包箱の側面稜部の縦しわを防止することができる。また、側面稜部で合わせることで、積み上げ時の上下方向の圧縮力や落下時の衝撃による下緩衝材の内側への倒れこみを軽減し、上下方向の梱包箱の圧縮強度、対衝撃性を向上させることができるため、発泡倍率を上げることも可能となり、信頼性が高く、安価な梱包構造を実現することができる。
【００１３】
第２の発明は、特に、第１の発明において、前記上緩衝材と、前記下緩衝材をそれぞれ分割構造とすることで、前記梱包箱や前記高周波加熱調理器への載置を容易に行うことできるようになり、作業者の負担にならない梱包構造を実現することができる。また、緩衝材の金型の小型化や緩衝材を重ね合わせることによる輸送時の省スペース化を行うことができ、安価な梱包構造を実現することができる。
【００１４】
以下、本発明の実施の形態について図面を参照しながら説明する。なお、この実施の形態によって本発明が限定されるものではない。
【００１５】
（実施の形態１）
図１は本発明の第１の実施の形態における梱包構造の外観斜視図、図２は本発明の実施の形態における高周波加熱調理器の梱包構造の分解斜視図を示す。
【００１６】
１は製品である高周波加熱調理器であり、前面に開口を有する本体２と、開口を開閉する開閉扉３からなる。４はダンボール製の梱包箱である。５は上緩衝材で、高周波加熱調理器１の上部と側面部を保護するものである。６は下緩衝材で、高周波加熱調理器１の下部と側面部を保護するものである。
【００１７】
高周波加熱調理器１を梱包する組立手順は、先ず、上方を開口した状態で梱包箱４を床に置き、下緩衝材６を載置する。その後、高周波加熱調理器１を下緩衝材６の上に載置し、高周波加熱調理器１の底面を固定する。次に、上緩衝材５を高周波加熱調理器１の上面
に載置し、上面を固定する。そして、テープ等で梱包箱４の上方を閉じる処理を行う。
【００１８】
図３は本発明の実施の形態における輸送時の載置状態を示す外観斜視図を示す。
【００１９】
コンテナ等により輸送を行う場合には、複数の梱包箱４はパレット等の載置台７に載置され、積み上げられる。積み上げられた複数の梱包箱４は、輸送時の荷崩れ処理として、ラップ８により包囲される。また、輸送中のコンテナ内は大きな温度、湿度変化にさらされる。
【００２０】
以上のように構成された梱包構造について、以下その作用を説明する。
【００２１】
載置台７に載置された梱包箱４はラップ８によって包囲されることにより、梱包箱４の側面稜部は内側への圧縮力を受ける。梱包箱４の側面稜部は高周波加熱調理器１の側面稜部との間で合わせられた上緩衝材５と下緩衝材６によって支持される。
【００２２】
以上のように本実施の形態では、前面に開口を有する本体２と、開口を開閉する開閉扉３とを備えた高周波加熱調理器１において、高周波加熱調理器１が梱包される梱包箱４と、梱包箱４の底部に載置される下緩衝材６と、高周波加熱調理器１の上部に載置される上緩衝材５を設け、下緩衝材６と上緩衝材５は高周波加熱調理器１の側面稜部を包装し、高周波加熱調理器１の側面稜部で合わせられるようにすることで、梱包箱４の側面稜部と高周波加熱調理器１の側面稜部の間の空隙を無くすことができ、荷崩れ防止として包囲されるラップによる圧縮力と輸送中のコンテナ内の湿度変化によって発生する梱包箱４の側面稜部の縦しわを防止することができる。
【００２３】
さらに、上緩衝材５と、下緩衝材６をそれぞれ分割構造とすることで、梱包箱４や高周波加熱調理器１への載置を容易に行うことできるようになり、作業者の負担にならない梱包構造を実現することができる。また、緩衝材の金型の小型化や緩衝材を重ね合わせることによる輸送時の省スペース化を行うことができ、安価な梱包構造を実現することができる。
【産業上の利用可能性】
【００２４】
本発明は、高周波加熱調理器の梱包構造への適用に好適である。
【符号の説明】
【００２５】
１  高周波加熱調理器
２  本体
３  開閉扉
４  梱包箱
５  上緩衝材
６  下緩衝材
７  載置台
８  ラップ
【図１】
2014234178.tif 000003
【図２】
2014234178.tif 000004
【図３】
2014234178.tif 000005
【図４】
2014234178.tif 000006
【図５】
2014234178.tif 000007